(57)【要約】【課題】密度が低く、質量が小さい衣類等の繊維質の塵埃に対しても防塵効果の高い信号制御盤を提供する。【解決手段】信号制御盤の筐体１の中には、エレベータ信号制御用CPU２、電源ユニット３、その他の実装部品４が格納されており、その正面には外気を取り込む送風ファン５が設置されている。筐体１の内部圧力は、送風ファン５によって上昇し、筐体１のあらゆる隙間から空気が放出される。よって、塵埃の侵入、特に機械室レスエレベータで問題となる繊維質の塵埃が信号制御盤へ侵入することを、確実に阻止することができる。【選択図】図１
2011057332.tif 000002
【特許請求の範囲】
【請求項１】
筐体内にエレベータの信号制御用実装品を格納して成るエレベータ用信号制御盤において、上記筐体の一部に設置された送風ファンと、当該送風ファンを制御し、上記筐体内に外気を取り込んで筐体内圧力を上昇させる制御装置とを備えたことを特徴とするエレベータ用信号制御盤。
【請求項２】
請求項１において、前記信号制御用実装品はエレベータ駆動用電動機の主回路ユニット以外の制御用コンピュータ及び電源ユニットを含み、前記筐体は当該筐体内の空気を放出する隙間を形成してなるエレベータ用信号制御盤。
【請求項３】
請求項１において、前記制御装置は、エレベータの運転状態に応じて前記送風ファンを制御するようにしたことを特徴とするエレベータ用信号制御盤。
【請求項４】
請求項３において、前記エレベータは機械室レスエレベータであって、前記制御装置は、エレベータかごがサービス中に前記送風ファンを作動し、当該サービス終了後、所定時間経過したとき上記送風ファンを停止するようにしたことを特徴とするエレベータ用信号制御盤。
【請求項５】
請求項１において、当該信号制御盤の周囲環境を検出するセンサーを備え、前記制御装置は、上記センサー出力に応じて前記送風ファンを制御するようにしたことを特徴とするエレベータ用信号制御盤。
【発明の詳細な説明】
【技術分野】
【０００１】
本発明はエレベータの制御盤に係り、特にエレベータの信号制御用実装品を収納する信号制御盤に関する。
【背景技術】
【０００２】
一般にエレベータ制御用電気品は、エレベータ駆動用電動機の主回路及び遮断機等からなる大電力部品と、エレベータの信号制御を行う小電力部品とに分ける事ができる。
【０００３】
前者の大電力部品、例えば電力制御用の半導体等は、エレベータの運行に伴う発熱量が多く、格納する制御盤内の温度も高温化することから、従来から熱対策が施されている。例えば、特許文献１では、制御盤に冷却ファンを設け、制御盤内の温度に応じてこの冷却ファンを制御する事で、制御盤内の温度上昇を抑えることが記載されている。更に積極的に冷却する場合は、例えば特許文献２に記載されているように、電力用半導体に放熱フインを取り付け、空気流入口から排気口への経路を工夫して、より冷却効率を高めることも知られている。
【０００４】
後者の信号制御用の実装部品は、小電力部品なので上記のような発熱の問題は少なが、その一方で、塵埃等への対策が望まれている。従来、エレベータ信号制御用の実装品は、金属製の筐体など、ケース内に格納しており、防塵のため、開口部を少なくし、上向きの開口部等も設けない構造としている。この構造によれば、密度が高く、質量の重い砂塵など、鉛直方向への移動が主である一般的な塵埃の侵入を防ぐことは可能であった。
【先行技術文献】
【特許文献】
【０００５】
【特許文献１】特開平２−１９８９９１号公報
【特許文献２】特開平４−３３８０７４号公報
【発明の概要】
【発明が解決しようとする課題】
【０００６】
人の往来など、人の動きにより発生する衣類等の繊維質の塵埃は、密度が低く、質量が軽い。このため、飛翔時間が長くなり、信号制御盤の小さな隙間から、この種の塵埃が内部に侵入する恐れがあることが解った。侵入した塵埃は、端子間に堆積した場合は絶縁不良の原因となり、実装品内部に侵入し場合は動作不良の原因等となる。
【０００７】
本発明の目的は、信号制御用実装品を筐体内に収納したエレベータ用信号制御盤において、密度が低く、質量が小さい衣類等の塵埃に対しても防塵効果の高い信号制御盤を提供し、もって信頼性の高いエレベータ設備を実現することにある。
【課題を解決するための手段】
【０００８】
上記目的を達成するための、本発明の主な特徴は、信号制御用実装品を格納した筐体の一部に送風ファンを設置し、この送風ファンを制御して筐体内に外気を取り込み、筐体内圧力を上昇させることで、信号制御盤を構成する筐体の隙間から空気を放出する構造としたところにある。
【０００９】
その他の特徴については、以下述べる実施の態様で詳述する。
【発明の効果】
【００１０】
本発明によれば、信号制御盤の隙間から空気を放出することになるので、例え衣類等の微小かつ軽量な繊維質の塵埃であっても侵入を防止する事ができ、密閉構造とすることなく防塵効果の高いエレベータ信号制御盤を実現することができる。
【図面の簡単な説明】
【００１１】
【図１】本発明の一実施例に係るエレベータ信号制御盤の斜視図である。
【図２】本発明の一実施例に係るエレベータ信号制御盤の正面図である。
【図３】本発明の一実施例に係るエレベータ信号制御盤の側断面図である。
【図４】本発明の一実施例に係る送風ファンの制御フローチャートである。
【発明を実施するための形態】
【００１２】
本発明におけるエレベータ信号制御用の実装品としては、信号制御用のコンピュータ、その電源ユニット類、その他の小電力部品であり、エレベータ駆動用電動機の主回路ユニット（電力用半導体）等の大電力部品は含まれない。
【００１３】
また、筐体に形成する空気放出用の隙間は、通常の精度で組立てられる場合に生じる隙間程度でよく、逆に密閉構造でなくても防塵効果が高いとの利点を奏する程度のものでよい。
【００１４】
ところで、塵埃の量及び移動、更には繊維質の塵埃は、人の往来、かごの移動及び周囲環境に影響される。例えば、機械室を設けたエレベータでは、この機械室内での人の動きは限られていることから、塵埃の影響は比較的少ないともの考えられる。しかし、機械室レスエレベータの場合、信号制御盤をエレベータの昇降路側に設置していることから、エレベータ利用客の影響等も考慮する必要がある。
【００１５】
そこで、以下述べる実施例では、機械室レスエレベータを例挙げて説明するが、機械室付きエレベータであっても同様に適用できることは勿論である。
【実施例１】
【００１６】
図１〜図３に本発明によるエレベータ信号制御盤の一実施例を示し、図１はその斜視図、図２は正面図、図３は空気の流れを説明するための側断面図である。
【００１７】
図において、信号制御盤の筐体１の中には、エレベータ信号制御用CPU２、電源ユニット３、その他の実装部品４が格納されており、その正面には送風ファン５が設置され、ファン用フィルタ７を通して筐体１内に外気を取り込むように回転駆動される。センサー６は、この信号制御盤の周囲環境、例えば湿度、空気の流れ、塵埃の濃度を計測し、この周囲環境に応じて送風ファンを制御する場合に利用される。
【００１８】
図３において、矢印８は、送風ファン５で筐体１に取り込まれる空気の流れを示す。送風ファン5により発生した空気の流れ９，１０は、筐体１内の圧力を高め、あらゆる隙間から外部に空気を放出する。信号制御盤に接近する繊維質の塵埃は、この空気の流れに煽られるため、筐体１の内部に侵入することはできない。特に、繊維質の塵埃は、密度が低く、質量が軽いため、送風ファン５により発生した空気の流れ９，１０の強弱によらず、筐体１の内部に侵入することは出来ない。従って、ファン用フィルタ7の交換は、ファンの故障時など、空気の流れを発生できなくなった時点で行えば十分である。
【００１９】
この様に、筐体１の内部の圧力は、送風ファン５によって外気が取り込まれて上昇し、その圧力差で筐体１のあらゆる隙間から空気が放出されるので、塵埃、特に問題となる繊維質の塵埃であっても、確実に進入を阻止することができる。
【００２０】
次に、図４を用いて、送風ファンの制御フローの一例を説明する。先に述べたように、この制御フロー図は、機械室レスエレベータを対象としている。
【００２１】
機械室レスエレベータでは、その信号制御盤をかごが移動する昇降路側に設置している。このため、利用客の影響も大きく、人の往来によって昇降路に侵入し堆積した繊維質の塵埃は、かごの移動により舞い上がる。即ち、かごの動きによって、塵埃の量及び移動が変化する。
【００２２】
そこで図４に示すように、かごがサービス中か否かを判断し（ステップ４２）、サービス中であれば送風ファンを駆動する（ステップ４３）。また、かごがサービスを終了しても、一定時間、塵埃は空気中を浮遊している。そこで本実施例では、かごがサービス終了後30分を経過していない場合（ステップ４４）は、塵埃が空気中を移動中であると判断し、送風ファンの動作状態を継続する。かごの停止後30分を経過した場合（ステップ４４）は、塵埃の移動は終了したものと判断し、ファンを停止する（ステップ４５）。
【００２３】
ここで、上記かごがサービス中か否かの判断（ステップ４２）は、エレベータ乗り場又はかご内における呼びの有無、エレベータ駆動用電動機の動作指令、又はかごの走行信号等を用いて容易に判断することが出来る。
【００２４】
また、筐体１に設けたセンサー６で、湿度、空気の流れ、塵埃濃度等を計測している場合、そのセンサー６の出力を用いて、送風ファン５を制御することもできる。例えば、塵埃濃度が高い場合は、かごがサービス中か否か（ステップ４２）に関係なく、送風ファンを駆動する（ステップ４３）こと、空気の流れ又は湿度の大きさに応じて、サービス終了後の設定時間（ステップ４４）を調整すること等、より細かに防塵対策するができる。
【００２５】
このように、送風ファンを制御することにより、ファンの動作時間を最適とし、省エネルギーのみでなく、乗り場へのファン騒音を抑制することもできる。
【符号の説明】
【００２６】
１・・・信号制御盤の筐体
２・・・エレベータ信号制御用CPU
３・・・電源ユニット
４・・・その他の電装部品
５・・・送風ファン
６・・・環境センサー
７・・・ファン用フィルタ
【図１】
2011057332.tif 000003
【図２】
2011057332.tif 000004
【図３】
2011057332.tif 000005
【図４】
2011057332.tif 000006